(57)【要約】【課題】遊技領域の右側上部までセンターケースを拡大した場合でも、そのセンターケースに応じて常に最適な位置に返し部材を配置することが可能な弾球遊技機を提供する。【解決手段】前面側に遊技領域３１が設けられた遊技盤１１と、遊技領域３１に向けて遊技球を発射する発射手段と、遊技領域３１内に配置され且つ画像表示手段３４用の表示窓３５を有するセンターケース３６と、遊技領域３１の上部側の外レール３２に沿ってその内側に配置され且つ発射手段により発射されて外レール３２に沿って走行する遊技球を跳ね返す返し部材７３とを備え、返し部材７３を、センターケース３６に着脱自在に装着したものである。【選択図】図３
2008104772.tif 000002
【特許請求の範囲】
【請求項１】
前面側に遊技領域（３１）が設けられた遊技盤（１１）と、前記遊技領域（３１）に向けて遊技球を発射する発射手段（９）と、前記遊技領域（３１）内に配置され且つ画像表示手段（３４）用の表示窓（３５）を有するセンターケース（３６）と、前記遊技領域（３１）の上部側の周壁（３２）に沿ってその内側に配置され且つ前記発射手段（９）により発射されて前記周壁（３２）に沿って走行する遊技球を跳ね返す返し部材（７３）とを備えた弾球遊技機において、前記返し部材（７３）を、前記センターケース（３６）に着脱自在に装着したことを特徴とする弾球遊技機。
【請求項２】
前記発射手段（９）により発射された遊技球は前記遊技領域（３１）の左側部から上部に向けて時計方向に案内されるように構成され、前記センターケース（３６）は、前記遊技領域（３１）の略中央に配置される中央ケース（４１ａ）と、前記遊技領域（３１）の右上部に前記周壁（３２）に沿って配置される右上部ケース（４１ｂ）とを一体に備え、前記右上部ケース（４１ｂ）の左端部に前記返し部材（７３）が装着され、前記中央ケース（４１ａ）と前記右上部ケース（４１ｂ）との間に遊技球を前記センターケース（３６）の右側に案内する右案内通路（７８）を設けたことを特徴とする請求項１に記載の弾球遊技機。
【請求項３】
前記右上部ケース（４１ｂ）は、前記遊技盤（１１）に固定されるベース部（７１）と、このベース部（７１）の前側に着脱自在に装着されるカバー部（７２）とを備え、前記返し部材（７３）を、前記ベース部（７１）と前記カバー部（７２）とで前後に挟み込んで固定したことを特徴とする請求項２に記載の弾球遊技機。
【請求項４】
前記中央ケース（４１ａ）の上部側に、左右両側に向けて低くなる傾斜状に形成され且つ上側から落下してきた遊技球を左右に案内する上ガイド部（６１）を備え、その上ガイド部（６１）の左右方向略中央に開閉式入賞手段（４２）を設けたことを特徴とする請求項２又は３に記載の弾球遊技機。
【請求項５】
前記開閉式入賞手段（４２）を前記返し部材（７３）の左下方に配置したことを特徴とする請求項４に記載の弾球遊技機。
【請求項６】
前記開閉式入賞手段（４２）の開閉扉（９３）は、閉状態では前記上ガイド部（６１）と共に遊技球を左右方向に案内するように構成されていることを特徴とする請求項４又は５に記載の弾球遊技機。
【請求項７】
前記開閉扉（９３）は、前記上ガイド部（６１）よりも上側に突出した位置に設けられていることを特徴とする請求項６に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機は、前面側に遊技領域を備えた遊技盤と、その遊技領域に向けて遊技球を発射する発射手段とを備えており、一般的に、発射手段により発射された遊技球は、ガイドレールに沿って遊技領域の左側部から上部に向けて時計方向に案内されて遊技領域内に進入し、その球速によっては例えば遊技領域の右上部において遊技盤に固定されたゴム材等よりなる返し部材（例えば特許文献１参照）で跳ね返されて遊技領域内を落下するように構成されている。
【０００３】
また、この種の弾球遊技機では、遊技領域の略中央に、画像表示手段用の表示窓を有するセンターケースを配置したものが多い。この画像表示手段として多くは液晶ディスプレイが用いられているが、この液晶ディスプレイは近年大型化が顕著であり、それに伴ってセンターケースも大型化が進み、限られた遊技領域を圧迫している。
【０００４】
更に、センターケースには液晶ディスプレイ等の表示窓の他、遊技球を遊ばせるためのステージ、演出用の可動部材やランプ等、多数の演出手段が設けられるため、より大型にならざるを得ず、センターケースが遊技領域に占める割合は極めて高くなってきている。
【特許文献１】特開２００１−０７０５６９号公報
【発明の開示】
【発明が解決しようとする課題】
【０００５】
以上のような状況の中、センターケースの大型化を更に進めるためには、センターケースを部分的に遊技領域の周辺部まで拡大することが考えられる。この場合、その拡大方向は遊技領域の右側が最も適当であると考えられるが、例えばセンターケースを遊技領域の右側上方に向けて拡大すると、返し部材を従来の位置に配置することは難しい。また、このようにセンターケースを遊技領域の右側上部まで拡大し、それに応じて返し部材を遊技盤上の適当な位置に配置するとなると、センターケースの形状が異なればそれに応じて返し部材の配置位置が異なることとなり、従来のようにセンターケースの形状に関係なく遊技盤上の一定の位置に返し部材を配置することはできない。
【０００６】
本発明は、このような問題点に鑑み、遊技領域の右側上部までセンターケースを拡大した場合でも、そのセンターケースに応じて常に最適な位置に返し部材を配置することが可能な弾球遊技機を提供することを目的とする。
【課題を解決するための手段】
【０００７】
本発明は、前面側に遊技領域３１が設けられた遊技盤１１と、前記遊技領域３１に向けて遊技球を発射する発射手段９と、前記遊技領域３１内に配置され且つ画像表示手段３４用の表示窓３５を有するセンターケース３６と、前記遊技領域３１の上部側の周壁３２に沿ってその内側に配置され且つ前記発射手段９により発射されて前記周壁３２に沿って走行する遊技球を跳ね返す返し部材７３とを備えた弾球遊技機において、前記返し部材７３を、前記センターケース３６に着脱自在に装着したものである。
【発明の効果】
【０００８】
本発明によれば、遊技領域３１の右側上部までセンターケース３６を拡大しているにも拘わらず、周壁３２に沿った最適な位置に返し部材７３を配置することが可能である。
【発明を実施するための最良の形態】
【０００９】
以下、本発明の実施形態を図面に基づいて詳述する。図１〜図１０は本発明をパチンコ機として具現化した一実施形態を例示している。図１及び図２において、１は外枠で、この外枠１の前側には、前枠２が、左右一端側に設けられた上下一対のヒンジ３を介して開閉自在に枢着されている。４はガラス扉、５は前面板で、これらは前枠２の窓孔６に対応して上下に配置され、前枠２に開閉自在に枢支されている。
【００１０】
前面板５には、その前側に発射用の遊技球を貯留する上皿７が装着されている。また、前面板５の下側には、左右方向の中央部に下皿８が装着され、この下皿８の一側に、発射手段９を操作するための発射ハンドル１０が前向き突出状に設けられている。
【００１１】
１１は遊技盤で、前枠２の窓孔６に対応するように、例えば前枠２の裏側の遊技盤装着枠１２に裏側から着脱自在に装着され、前面板５の後側に対応して前枠２の下部に設けられた下セット板１３により下側から支持されている。なお、遊技盤１１は前枠２の前側から着脱可能としてもよい。
【００１２】
発射手段９は、遊技球を発射方向に案内する発射レール２１、この発射レール２１の前側に配置され且つ上皿７側の遊技球を発射レール２１上に１個ずつ供給する球送り手段２２、揺動自在に支持された打撃槌２３、この打撃槌２３を揺動駆動する発射駆動ソレノイド（図示省略）等を備え、それら発射レール２１、球送り手段２２、打撃槌２３等は取付板２４を介して下セット板１３の前側に固定されている。
【００１３】
遊技盤装着枠１２は、図２に示すように、下セット板１３の左右両側から上向きに配設された左右一対の縦枠部１２ａ，１２ｂと、その縦枠部１２ａ，１２ｂの上端側を左右に連結する横枠部１２ｃとで門型状に形成され、その内側が窓孔６となっており、その背面側に遊技盤１１の装着部が設けられている。
【００１４】
遊技盤１１の前面には、図３及び図４に示すように、外レール３２及び内レール３３が略円弧状に配置されると共に、その内側の遊技領域３１には、液晶表示手段（画像表示手段）３４用の表示窓３５を備えたセンターケース３６、可変式入賞手段３７、大入賞手段３８、普通入賞手段３９等の各種遊技部品が配置されている。
【００１５】
外レール３２は、発射手段９により発射された遊技球を遊技領域３１の上部側に案内するもので、遊技盤１１の下部中央寄りの位置から上部略中央位置まで左側に膨らむ略円弧状に配設され、更に上部略中央位置からは遊技盤１１の上縁側に沿って右縁部近傍まで略直線状に配設されている。
【００１６】
内レール３３は、主に遊技領域３１の下部側を規定するもので、遊技盤１１の左上方から下部中央位置まで外レール３２の内側に略平行に配設され、更にそのまま遊技盤１１の右縁部近傍まで略円弧状に延設されている。
【００１７】
また、外レール３２及び内レール３３は、その前縁側がガラス扉４のガラス面に近接する程度の一定幅に形成されている。なお、遊技盤１１を遊技盤装着枠１２に後側から装着したとき、外レール３２及び内レール３３の右端部が夫々縦枠部１２ｂの内側面４０に近接するようになっており、それら外レール３２、内レール３３、及び縦枠部１２ｂの内側面４０により、遊技領域３１を取り囲む周壁が構成されている。
【００１８】
センターケース３６は、図４等に示すように、遊技盤１１の装着孔１１ａに前側から装着されるケース本体４１と、このケース本体４１に着脱自在に装着される開閉式入賞手段４２と、ケース本体４１の後側に着脱自在に設けられる後部カバー４３等で構成されている。
【００１９】
ケース本体４１は、遊技領域３１の略中央に配置される中央ケース４１ａと、遊技領域３１の右上部に周壁に沿って配置される右上部ケース４１ｂとを例えば一体的に備えている。
【００２０】
中央ケース４１ａは、遊技盤１１側の装着孔１１ａの内側に嵌合する中央嵌合枠５１と、この中央嵌合枠５１の前側に遊技盤１１の前面に沿って一体形成された鍔状の中央前面板５２とを備え、その略中央に液晶表示手段３４用の表示窓３５が、上部側の左右方向略中央に開閉式入賞手段４２用の入賞窓５３が、共に開口状に形成されており、例えば中央前面板５２に設けられた複数のネジ止め孔５２ａにおいてネジ止めすることにより遊技盤１１に着脱自在に固定されている。
【００２１】
表示窓３５の下部前側には、中央ケース４１ａの側方に設けられた入球口５４ａから入球した遊技球を左右方向に案内しつつ前側に落下させるステージ５４が設けられている。また、表示窓３５の外側で且つ中央前面板５２の内側には、任意の装飾が施された化粧板カバー５５等が例えば前側から装着されている。
【００２２】
中央前面板５２の前面側には、その外縁部に沿って、中央ケース４１ａの内側への遊技球の進入を阻止するためのガイド部材６０が、外レール３２及び内レール３３と略同じ幅で前向き突出状に設けられている。このガイド部材６０は、例えば中央ケース４１ａの上縁部に沿って左右方向に配置される上ガイド部６１、中央ケース４１ａの右縁部に沿って上下方向に配置される右ガイド部６２等を備えており、上ガイド部６１の右端部と右ガイド部６２の上端部とは例えば一体的に接続されている。
【００２３】
上ガイド部６１は、上側から落下してきた遊技球を左右両側に案内するもので、中央前面板５２の上縁部に沿ってその内側（下側）略一定距離の位置に配置されており、全体として、入賞窓５３に対応する左右方向略中央部から左右両側に向けて徐々に低くなるように例えば略円弧状に配設されている。
【００２４】
また、上ガイド部６１は、左右方向中央部分で左右に分断され、入賞窓５３の前側に対応する入賞案内口６１ａが形成されている。また、入賞案内口６１ａの下側には、入賞案内口６１ａ内に落下した遊技球を受け止めて入賞窓５３側に案内する球受け部６３が前向き突出状に設けられている。
【００２５】
なお、入賞窓５３は、上ガイド部６１よりも若干上側に突出するように形成されており、その上縁側は例えば若干左下がりの傾斜状となっている。
【００２６】
右ガイド部６２は、上ガイド部６１により右側に案内されてきた遊技球を下側に案内するもので、中央前面板５２の右側縁部に沿ってその内側（左側）略一定距離の位置に上下方向に配置されており、この右ガイド部６２と遊技盤装着枠１２における縦枠部１２ｂの内側面４０との間が、上ガイド部６１により右側に案内されてきた遊技球を下向きに案内する縦案内通路６４となっている。
【００２７】
右上部ケース４１ｂは、図４〜図６に示すように、中央ケース４１ａに一体に設けられるベース部７１と、このベース部７１の前側に着脱自在に装着されるカバー部７２と、それらベース部７１とカバー部７２との間に装着される返し部材７３とを備えている。
【００２８】
ベース部７１は、遊技盤１１側の装着孔１１ａの内側に嵌合する右上部嵌合枠７４と、この右上部嵌合枠７４の前側に遊技盤１１の前面に沿って一体形成された右上部前面板７５とを備えている。
【００２９】
右上部嵌合枠７４は、図５等に示すように、外レール３２の下側に略平行に配置される上枠板７４ａと、その上枠板７４ａの左端部と中央嵌合枠５１とを上下方向に連結する左枠板７４ｂと、遊技盤装着枠１２における縦枠部１２ｂの内側面４０の内側（左側）に略平行に配置され且つ上枠板７４ａの右端部と中央嵌合枠５１とを上下方向に連結する右枠板７４ｃとで構成されている。左枠板７４ｂは、中央ケース４１ａ側の入賞窓５３よりも若干右寄りの位置に配置されており、例えば上端側が下端側よりも左側に迫り出した傾斜状に形成されている。
【００３０】
右上部前面板７５は、例えば右上部嵌合枠７４の前縁側から外向きに延設された所定幅の鍔状に形成されており、その下端側が中央前面板５２の上縁側に一体的に連結されている。
【００３１】
カバー部７２は、ベース部７１の外周に沿って正面視略四角形の枠状に形成された周壁７６と、この周壁７６の前部内側を略覆う前壁７７とを例えば一体に備え、ベース部７１の前側に被せるように装着され、例えばベース部７１の後側からネジ止め等により着脱自在に固定されている。なお、カバー部７２の前側への突出幅は中央ケース４１ａ側のガイド部材６０と略等しくなっている。
【００３２】
周壁７６は、その上壁７６ａ及び左右の側壁７６ｂ，７６ｃが右上部前面板７５の外縁に沿って略真っ直ぐに形成されると共に、下側壁７６ｄが中央前面板５２の上縁側に沿ってガイド部材６０と略平行な略円弧状に形成されている。なお、左側壁７６ｂ（図６）は、ベース部７１側の左枠板７４ｂと同様、上端側が下端側よりも若干左側に迫り出した傾斜状に形成されている。
【００３３】
そして、カバー部７２は、その上壁７６ａを外レール３２の内面（下面）側に近接して配置することにより外レール３２とセンターケース３６との間への遊技球の進入を阻止し、下側壁７６ｄを上ガイド部６１から少なくとも１個の遊技球が通過可能な距離に配置することにより、その下側壁７６ｄと上ガイド部６１との間で且つ中央前面板５２の前側に右案内通路７８を形成して、センターケース３６の右側への遊技球の移動を許容している。
【００３４】
また、右上部ケース４１ｂには、返し部材７３を装着するための返し部材装着部７９が設けられている。この返し部材装着部７９は、例えば右上部ケース４１ｂの左側縁部に沿って配置され、図６等に示すように、略平行に配置された前後一対の挟持板７９ａ，７９ｂと、それら挟持板７９ａ，７９ｂの右側を前後に連結するように設けられたカバー部７２側の左側壁７６ｂとで例えば左向きに開放する断面略コの字形の凹入状に形成されている。
【００３５】
後挟持板７９ｂはベース部７１側の右上部前面板７５の左端部、前挟持板７９ａはカバー部７２側の前壁７７の左端部により夫々構成されており、共に左側壁７６ｂに対してその左側に所定幅で突出している。
【００３６】
前後の挟持板７９ａ，７９ｂには、その対向面側の互いに対応する位置に、１又は複数組、例えば１組の位置決めピン８１が突設されている。また、例えば前挟持板７９ａの背面側には、１又は複数、例えば上下２つのネジ止めボス８２ａ，８２ｂが、後ろ向きに突設されている。
【００３７】
また、それらネジ止めボス８２ａ，８２ｂの一方、例えば上側のネジ止めボス８２ａは、左側壁７６ｂの左面側に沿って設けられており、その左側に対応して位置決めピン８１が配置されている。
【００３８】
なお、後挟持板７９ｂには、遊技盤１１に前側からネジ止めするためのネジ止め孔５２ａを備えた固定部８３が、例えば左向きに突設されている。
【００３９】
返し部材７３は、発射手段９により発射されて外レール３２に沿って右方向に走行する遊技球を左方向に跳ね返すためのもので、合成ゴム等の弾性材料により返し部材装着部７９に対応する大きさの略直方体状に形成され、ベース部７１側の後挟持板７９ｂとカバー部７２側の前挟持板７９ａとで前後に挟み込むことにより返し部材装着部７９内に装着されるようになっている。
【００４０】
また、返し部材７３には、位置決めピン８１に対応する位置決め孔８４、ネジ止めボス８２ａ，８２ｂに対応する固定孔８５ａ，８５ｂが夫々前後方向貫通状に設けられており、固定孔８５ａ，８５ｂに前側から夫々ネジ止めボス８２ａ，８２ｂが挿通され、位置決め孔８４に前後両側から位置決めピン８１，８１が挿入されることにより、返し部材装着部７９内に位置決め、固定されている。
【００４１】
返し部材装着部７９内に装着された返し部材７３は、その上面７３ａが外レール３２の内面（下面）側に当接又は近接し、下面７３ｂがカバー部７２側の下側壁７６ｄの下面側と略面一となり、左面７３ｃが、前挟持板７９ａの左縁部よりも左側に若干突出するようになっている。
【００４２】
なお、返し部材７３は、返し部材装着部７９に沿って上端側が下端側よりも若干左側に迫り出した状態で斜めに配置されており、その左面７３ｃは僅かに左下向きとなっている。
【００４３】
このように、返し部材７３がセンターケース３６に着脱自在に装着されているため、遊技領域３１の右側上部までセンターケース３６を拡大しているにも拘わらず、外レール３２に沿った最適な位置に返し部材７３を配置することが可能である。また、返し部材７３は、右上部ケース４１ｂを構成するベース部７１とカバー部７２とで前後に挟み込んで固定するように構成されているため、センターケース３６の組み立て時に容易に装着することが可能である。
【００４４】
また、返し部材７３には、ベース部７１側、或いはカバー部７２側に一体に設けられたネジ止めボス８２ａ，８２ｂ、位置決めピン８１等が前後に挿通されているため、脱落することなくセンターケース３６に確実に保持される。更に、センターケース３６を遊技盤１１にネジ止め等により固定するための固定部８３が、返し部材装着部７９の近傍に配置されているため、返し部材７３は遊技盤１１に対してもぐらつくことなく安定的に保持される。
【００４５】
開閉式入賞手段４２は、図５，図８，図９等に示すように、入賞口９１が前向き開口状に設けられた入賞ケース９２と、この入賞ケース９２の上側に配置され且つ前後方向移動可能に支持された開閉扉９３と、この開閉扉９３を、入賞口９１の前側に突出する閉状態と後側に待避する開状態とに切り換え駆動する開閉駆動手段９４と、入賞ケース９２内に入賞した遊技球を検出する入賞検出スイッチ９５と、この入賞検出スイッチ９５に検出された遊技球を後ろ向きに案内する入賞通路９６とを１つのユニット上に備えており、入賞口９１及び開閉扉９３を入賞窓５３に後側から嵌合させた状態で、中央ケース４１ａの後側に着脱自在に装着されている。
【００４６】
入賞口９１は、その下縁側に沿って球受け部６３の後端側６３ａが前側から嵌合しており、開閉扉９３が開状態のときに入賞案内口６１ａ内に落下した遊技球は、球受け部６３により後ろ向きに案内されて入賞口９１内に入賞するようになっている。
【００４７】
開閉扉９３は、水平よりも若干左下がりの傾斜状に形成された開閉板９３ａと、この開閉板９３ａの左右両側から下向きに延設された側板９３ｂ，９３ｃとを一体に備えており、開閉板９３ａが入賞窓５３の上縁側に、側板９３ｂ，９３ｃが入賞窓５３の側縁上部側に夫々沿うように配置されている。
【００４８】
そして、開閉扉９３が開閉駆動手段９４により前向きに駆動されて閉状態になったとき、開閉板９３ａと左右の側板９３ｂ，９３ｃとにより入賞口９１の上側において入賞案内口６１ａが閉鎖されるようになっている。
【００４９】
なお、開閉扉９３は、閉状態のとき、開閉板９３ａが上ガイド部６１よりも上側に突出して、その左右両端側と左右の上ガイド部６１との間に段差が生じるように構成されているため、開閉扉９３と左右の上ガイド部６１との間の境界部分に遊技球が停留する不具合を防止できる。
【００５０】
開閉駆動手段９４は、電磁ソレノイド等により構成され、例えば入賞ケース９２の左右両側に配置されており、開閉扉９３の側板９３ｂ，９３ｃの下縁側に設けられるラック９７に噛合するピニオン９８を、所定の連動機構を介して正逆方向に回転させることにより開閉扉９３を前後にスライド駆動するように構成されている。
【００５１】
後部カバー４３は、ケース本体４１の後側を覆うもので、例えば開閉式入賞手段４２の入賞通路９６の下流側に連通して遊技球を下側に案内する案内通路９９等を一体に備えている。
【００５２】
遊技者が発射ハンドル１０を操作すると、発射手段９が作動し、発射レール２１上に供給された遊技球が打撃槌２３により打撃され、発射される。発射された遊技球は、発射レール２１に沿って左斜め上方に飛び出した後、外レール３２の内面側に沿って上向きに走行する。
【００５３】
そして、その発射球に十分な勢いがある場合には、外レール３２に沿って遊技領域３１の上部側に入り、返し部材７３の左面７３ｃに衝突して左下向きに跳ね返される（図１０（ａ））。
【００５４】
返し部材７３により跳ね返された遊技球は、開閉式入賞手段４２の開閉扉９３が閉状態であれば、その開閉扉９３又はその左右の上ガイド部６１により左右一方側に案内される。そして、右側に案内された遊技球は、センターケース３６を右向きに横切るように配置された右案内通路７８、センターケース３６の右側に上下方向に配置された縦案内通路６４を経て遊技領域３１の下方に流下する。
【００５５】
所定の遊技状態が発生して開閉式入賞手段４２の開閉扉９３が開状態になれば（図１０（ｂ））、例えば返し部材７３に適度な速度で衝突した遊技球はその左下方の入賞案内口６１ａ内に落下し、球受け部６３により後ろ向きに案内されて入賞口９１内に入賞する。
【００５６】
以上説明したように、本実施形態のパチンコ機は、返し部材７３を、センターケース３６に着脱自在に装着しているため、遊技領域３１の右側上部までセンターケース３６を拡大しているにも拘わらず、外レール３２に沿った最適な位置に返し部材７３を配置することが可能である。
【００５７】
また、発射手段９により発射された遊技球は遊技領域３１の左側部から上部に向けて時計方向に案内されるように構成され、センターケース３６は、遊技領域３１の略中央に配置される中央ケース４１ａと、遊技領域３１の右上部に外レール３２に沿って配置される右上部ケース４１ｂとを一体に備え、右上部ケース４１ｂの左端部に返し部材７３が装着され、中央ケース４１ａと右上部ケース４１ｂとの間に遊技球をセンターケース３６の右側に案内する右案内通路７８を設けているため、遊技領域３１の右側上部までセンターケース３６を拡大しているにも拘わらず、遊技球を遊技領域３１の右側に誘導することができる。
【００５８】
また、右上部ケース４１ｂは、遊技盤１１に固定されるベース部７１と、このベース部７１の前側に着脱自在に装着されるカバー部７２とを備え、返し部材７３を、ベース部７１とカバー部７２とで前後に挟み込んで固定しているため、センターケース３６の組み立て時に返し部材７３を容易に装着することが可能である。
【００５９】
中央ケース４１ａの上部側に、左右両側に向けて低くなる傾斜状に形成され且つ上側から落下してきた遊技球を左右に案内する上ガイド部６１を備え、その上ガイド部６１の左右方向略中央で且つ返し部材７３の左下方に開閉式入賞手段４２を配置しているため、所定の遊技状態となって開閉式入賞手段４２が開放されたときに遊技者が開閉式入賞手段４２を狙いやすいという利点がある。
【００６０】
また、開閉式入賞手段４２の開閉扉９３は、閉状態では上ガイド部６１と共に遊技球を左右方向に案内するように構成されているため、閉状態の開閉式入賞手段４２が障害となって遊技球の進路に大きな影響を与えることもない。
【００６１】
しかも、開閉扉９３は上ガイド部６１よりも上側に突出した位置に設けられているため、閉状態の開閉扉９３と左右の上ガイド部６１との間には段差が生じ、開閉扉９３と左右の上ガイド部６１との間の境界部分に遊技球が停留する不具合を防止できる。
【００６２】
以上、本発明の各実施形態について詳述したが、本発明はこの実施形態に限定されるものではなく、本発明の趣旨を逸脱しない範囲内で種々の変更が可能である。例えば、返し部材７３のセンターケース３６への装着方法は、ベース部７１と前記カバー部７２とで前後に挟み込むものに限られず、例えばベース部７１からカバー部７２を取り外すことなく着脱できるように返し部材７３を返し部材装着部７９内にネジ止め等により固定してもよい。
【００６３】
開閉式入賞手段４２の開閉扉９３を右下がりの傾斜状として、上側に落下した遊技球を右案内通路７８側に案内するように構成してもよい。また、開閉式入賞手段４２の開閉扉９３を、左右両側に向けて低くなる傾斜状として、上側に落下した遊技球を左右に振り分けるように構成してもよい。また、必ずしも開閉式入賞手段４２を中央ケース４１ａの上部側に設ける必要はない。
【００６４】
なお、実施形態ではパチンコ機について例示したが、アレンジボール機、雀球遊技機等の他の弾球遊技機でも同様に実施できることはいうまでもない。
【図面の簡単な説明】
【００６５】
【図１】本発明の一実施形態を示すパチンコ機の全体斜視図である。
【図２】本発明の一実施形態を示すパチンコ機のガラス扉及び前面板を取り外した状態での正面図である。
【図３】本発明の一実施形態を示す遊技盤の正面図である。
【図４】本発明の一実施形態を示す遊技盤の分解斜視図である。
【図５】本発明の一実施形態を示すセンターケースの要部分解斜視図である。
【図６】本発明の一実施形態を示す返し部材の取付構造を示す分解斜視図である。
【図７】本発明の一実施形態を示す返し部材の取付構造を示す説明図である。
【図８】本発明の一実施形態を示すセンターケースの要部分解斜視図である。
【図９】本発明の一実施形態を示すセンターケースの要部縦断面図である。
【図１０】本発明の一実施形態を示す遊技盤における遊技球の移動状態の一例である。
【符号の説明】
【００６６】
９    発射手段
１１    遊技盤
３１    遊技領域
３２    外レール（周壁）
３４    液晶表示手段（画像表示手段）
３５    表示窓
３６    センターケース
４１ａ  中央ケース
４１ｂ  右上部ケース
４２    開閉式入賞手段
６１    上ガイド部
７１    ベース部
７２    カバー部
７３    返し部材
７８    右案内通路
９３    開閉扉
【図１】
2008104772.tif 000003
【図２】
2008104772.tif 000004
【図３】
2008104772.tif 000005
【図４】
2008104772.tif 000006
【図５】
2008104772.tif 000007
【図６】
2008104772.tif 000008
【図７】
2008104772.tif 000009
【図８】
2008104772.tif 000010
【図９】
2008104772.tif 000011
【図１０】
2008104772.tif 000012